(57)【要約】【課題】楽音を発する操作部１と、この操作部１の操作に対応して所定の表示を表現する意思伝達部３とより成ることを特徴とするものであって、非介護人や患者と、介護人や看護人との意思の伝達において、従来無味乾燥に陥りがちだった意思伝達を、情緒的に、しかも容易に行えるようにする。【効果】操作部に楽音発生を対応させることにより、無味乾燥だった従来の無機質な操作性を回避し、これにより、正確な意思伝達を容易に、情緒性豊かに出来るようにして目的を達成することが出来た。【選択図】図１
2005062533.tif 000002
【特許請求の範囲】
【請求項１】
楽音を発音させ、その楽音に対応して所定の意思表示を表現させることを特徴とする意思伝達方法。
【請求項２】
楽音を発するための操作部１と、この操作部１の楽音に対応して、所定の意思表示を表現する意思伝達部３とより成ることを特徴とする意思伝達装置。
【発明の詳細な説明】
【技術分野】
【０００１】
本発明は、楽音を発する手段を媒体とした意思伝達方法とその装置に関するものである。
【背景技術】
【０００２】
従来から目の見えない人、言葉の喋れない人、子供や赤ちゃん、病人、機能障害を有する人から健常人への意思伝達に関しては種々研究されてきている。
【０００３】
簡単なシステムとしては、例えば病院での病室の枕元に配置されたナースコールブザーがある。これはブザーが鳴らされると、患者が何らかの要望があることが分かり、看護士が患者の下に訪ねて要望を聞き取って対応することになるが、聞き取りに行かなければ患者の要望が理解できず、人手の不足がちな病院では改善が望まれている。
【０００４】
最も簡単で確実なものは、インターフォン形式のもので、確実に意思伝達が行われるが、その程度でも負担になる場合も多い。例えば病人や、老人、幼児、目が見えない人、耳が聞こえない人、喋れない人、脳障害者、肢体不自由者等、異種表示が出来るレベルは種々様々である。そして何れかのレベルに対応して、機能を改善するものが種々開発されているが、患者の身体に装着するものは患者に身体的負担を強要するもので、望ましいものではない。また、一音一音に対応した文字盤を押したり、所定の意味を持たせたタッチセンサーを押すなどして意思を伝達するものも多数あるが、いずれも操作が複雑で、患者にその操作を理解させるのに一苦労するのが実情であった。これらは、いずれも健常者から見ると、何気ないことでも非健常者から見ると、些細なことが重大な負担になりがちな上に、加えて、介在させる仲介手段が無機的で、情緒的な温かみに欠けるものであった。
【特許文献１】特開平９−２２２４７
【特許文献２】特開２０００−９８８７４
【発明の開示】
【発明が解決しようとする課題】
【０００５】
本発明は、主として、耳が聞こえ、ドレミ・・・を理解し、簡単な押し操作程度が可能なレベルの者の意思を、健常者に伝達しようとするもので、その対象範囲では比較的多くの人々が直ぐに理解でき、遊び心を持って、不自由な意思伝達を心地良く行いうる方法とその装置を提供するものである。
【課題を解決するための手段】
【０００６】
本発明の主たる特徴は、楽音を発音させ、その楽音に対応して、所定の意思表示を表現させることを特徴とするとしたことである。
【発明の効果】
【０００７】
本発明にあっては上述のように、楽音を発音させ、その楽音に対応して、所定の意思表示を表示させるものであるから、音の違いに応じて約束で取り決めた意思を伝えることが出来るものであって、比較的多くの人が幼い頃から馴染んできた音階を用いることにより、介護や闘病にて沈みがちな雰囲気の中で、沈みがちな環境の中でも、ささやかながら情緒的に遊び心を持って意思伝達を楽しみながら操作でき、またその意思伝達を受ける看護者や看護人も正確に意思伝達を受けて的確に対処できるものである。
【０００８】
また、特別な場合を除き、耳が聞こえない人以外は、通常幼少から歌や音楽を通じて音階には馴染みが深く、一つ一つの音に意味を持たせ、所定の表現を発音させて意思表示するものであるから、短期間の学習で日常生活に必要な表現をマスターし、正確に意思表現が出来、介護や看護するものも、楽音に対応した表現をキャッチできるので、ロスなく迅速に対応でき、人手不足気味の現場での職務遂行を円滑にならしめる利点がある。
【０００９】
また、単音の楽音に一つの表現を対応させるのが基本であるが、２音以上を組み合わせて、少し複雑な表現にも対応させることが出来、また、予め所定の表現を固定しておく以外に、使用する者の用途に応じて表現を自由にカスタマイズしたり、それをインターネット環境からダウンロードさせたりすることも出来る。また、一つの楽音をドレミ・・・の一つに対応させる以外に、簡単なメロディーを対応させることも出来る。
【００１０】
更に、音階は世界共通の表現方式であるから、同じ音に対応する表現を、同趣旨の外国語に置き換えることにより、世界各国で同一の使用の仕方が出来、これを切り替えることにより簡易翻訳機能を発揮させることも出来る。
【発明を実施するための最良の形態】
【００１１】
以下本発明を添付図面に基づき詳細に説明する。図１は本発明の基本的な概略を説明するもので、楽音を発するためのスイッチ昨日を持つ操作部１と、この操作部１の入力に対応して所定の表現を表示する意思伝達部３とより成る。音を発する操作部１は、その入力操作により、音声合成部（シンセサイザ）３を動作させてピアノやオルガン等の鍵盤、ハーモニカ、木琴やシロフォン等の打楽器、ギターや三味線等の弦楽器等任意の楽器の楽音を切替スイッチなどで好みに切替えて出すことが出来る。
【００１２】
音声合成部２には、必要に応じてアンプやスピーカＳＰ１を付設することが出来る。そしてまた、音声合成部２から出る楽音は、単音であっても良いし、短いメロディーであっても良い。そして音階は、洋楽音がその普及度合いから好ましいが、邦楽音でも構わない。
【００１３】
次の意思伝達部３は所定の具体的な表現を表示するもので、音声合成回路に適宜メモリー、アンプ、スピーカＳＰ２により構成される。音声に代えて、文字などの視覚とすることも出来る。
【００１４】
次に、操作部１の楽音と、意思伝達部３の表現との対応の例を下記の表現例１から８に示す。
（表現例１）  単独で完結
音・・・・・・言葉                  
ド・・・・・・トイレに行きたい
レ・・・・・・ベッドに行きたい
ミ・・・・・・お腹が空いた
ファ・・・・・喉が渇いた
ソ・・・・・・車椅子に乗りたい
ラ・・・・・・片付けて欲しい
シ・・・・・・風呂に入りたい
ド・・・・・・薬を飲みたい
【００１５】
（表現例２）
音・・・・・・言葉                  
ド・・・・・・食べたい
レ・・・・・・飲みたい
ミ・・・・・・行きたい
ファ・・・・・見たい
ソ・・・・・・片付けて
ラ・・・・・・会いたい
シ・・・・・・電話したい
ド・・・・・・持ってきて欲しい
【００１６】
（表現例３）
音・・・・・・言葉                  
ド・・・・・・おにぎり
レ・・・・・・寿司
ミ・・・・・・サンドイッチ
ファ・・・・・アイスクリーム
ソ・・・・・・パン
ラ・・・・・・ケーキ
シ・・・・・・チョコレート
ド・・・・・・果物
【００１７】
（表現例４）
音・・・・・・言葉                  
ド・・・・・・お茶
レ・・・・・・コーヒー
ミ・・・・・・紅茶
ファ・・・・・ココア
ソ・・・・・・ウーロン茶
ラ・・・・・・水
シ・・・・・・ジュース
ド・・・・・・スポーツドリンク
【００１８】
（表現例５）
音・・・・・・言葉                  
ド・・・・・・トイレ
レ・・・・・・風呂
ミ・・・・・・食堂
ファ・・・・・ベッド
ソ・・・・・・散歩
ラ・・・・・・リビング
シ・・・・・・買い物
ド・・・・・・郵便局
【００１９】
（表現例６）
音・・・・・・言葉                  
ド・・・・・・テレビ
レ・・・・・・新聞
ミ・・・・・・雑誌
ファ・・・・・手紙
ソ・・・・・・辞書
ラ・・・・・・絵本
シ・・・・・・地図
ド・・・・・・ビデオ
【００２０】
（表現例７）
音・・・・・・言葉                  
ド・・・・・・もも
レ・・・・・・レモン
ミ・・・・・・みかｎ
ファ・・・・・バナナ
ソ・・・・・・スイカ
ラ・・・・・・りんご
シ・・・・・・なし
ド・・・・・・パイナップル
【００２１】
（表現例８）
音・・・・・・言葉                  
ド・・・・・・おとうさん
レ・・・・・・おかあさん
ミ・・・・・・おにいさん
ファ・・・・・おねえさん
ソ・・・・・・おとうと
ラ・・・・・・いもうと
シ・・・・・・おじさん
ド・・・・・・おばさん
【００２２】
上記表現例１は簡単な一音完結型の例であって、会話が少ない場合にはこれで十分に機能する。同じ一音完結型であっても、表現例８は、幼児に言葉を覚えさせることに使用できるし、表現例２のラ又はシと組み合わせて機能させることも出来る。
【００２３】
また、これらをメモリーに記憶させるにあたり、モードを切り替えることが出来るようにすれば、簡易翻訳機や外国語学習機の機能を持たせることが出来る。即ち、表現例８でレに対応して、日本語モードが「お母さん」であれば、英語モードに切り替えれば“ｍｏｔｈｅｒ”であり、韓国語モードであれば「オモニ」という具合になる。
【００２４】
更に、２音或いはそれ以上の音の組み合わせにより、もう少し高度の意思表示に発展させることも出来る。例えば表現例２と３を組み合わせることが出来る。例えばド＋ドであれば、「食べたい」＋「おにぎり」で、おにぎりが食べたいとなる。
【００２５】
そして、これらの表現は、表現したい者と、表現を受ける者との関係において、既成のものでもある程度の機能は果たすけれど、実際は千差万別であるので、自由に録音するなどしてカスタマイズできるようにするのが望ましい。
【産業上の利用可能性】
【００２６】
本発明にあっては、介護や看護の無味乾燥に陥りがちな意思伝達を、楽音を操作源として用いることにより、情緒性豊かに、実現できるものであり、また意思表示を受けた看護人や介護人も、正確な意思表示を受けて的確に対処でき、その行き違いによるフラストレーションによるストレスから解消できる。
【００２７】
また、本発明では、楽音は、幼少の頃より万人が馴染み、比較的幅広く認識されているからものであるから、本発明を活用するに当たって、初期学習が容易で、違和感無く操作を容易にマスターできる利点がある。
【００２８】
更に、本発明では、音は世界中共通であるから、意思表示部にメモリーを組み合わせるなどして、簡易翻訳機としても機能させることが出来る。
【図面の簡単な説明】
【００２９】
【図１】本発明の一実施例の概略概念図。
【図２】同上の他の実施例の概略概念図。
【図３】同上の更に他の実施例の概略概念図。
【図４】図１に対応する概略回路図。
【符号の説明】
【００３０】
１      操作部
２      音声合成部
３      意思伝達部
【図１】
2005062533.tif 000003
【図２】
2005062533.tif 000004
【図３】
2005062533.tif 000005
【図４】
2005062533.tif 000006